(57)【要約】【課題】マウスに適合したマウスパッドを連結し、マウスパッドをマウスに連結した状態でマウスを操作することができ、且つ携行時は、マウスパッドをマウスに容易に固定することができる【解決手段】マウスパッド２は、上板３と下板４からなり、その間に水平に隙間１０が確保されている。その隙間１０にマウス１に嵌合された連結部材８が水平方向に移動操作可能に挿入され、マウスパッド２はマウス１と連結されている。マウス１と連結部材８をマウスパッド２に対し、回転させ連結部材８の一部をマウスパッド２に設けられた連結部材との嵌合部５に嵌合することでマウスパッド２をマウス１に固定することができる。【選択図】図１
2011039756.tif 000002
【特許請求の範囲】
【請求項１】
マウスパッドと連結するための連結部材を嵌合し装着できる連結部材との嵌合部を有することを特徴とするマウス。
【請求項２】
前記マウスパッドは、前記マウスを水平移動させる操作面を上面に有する上板と、前記マウスパッドの接地面を下面に有する下板と２枚の板からなり、その２枚の板の間に水平に隙間が確保されていることを特徴とするマウスパッド。
【請求項３】
前記マウスと前記マウスパッドを連結させる前記連結部材は、前記マウスに設けられた前記連結部材との嵌合部に嵌合可能なマウスとの嵌合部と、マウスを水平に保つ支持部分と、前記マウスパッドの前記上板と前記下板の間の前記隙間に挿入し、前記マウスパッドを保持するための保持部分を有することを特徴とする連結部材。
【請求項４】
前記マウスパッドには、前記マウスパッドを前記連結部材に固定するための、前記連結部材との嵌合部が設けられていることを特徴とする請求項２に記載のマウスパッド。
【請求項５】
前記マウスと前記マウスパッドは、前記連結部材により連結され、連結された状態で前記マウスを前記マウスパッド上で水平方向に移動させることができ、前記マウスを操作でき、且つ、前記マウスを前記マウスパッド上に水平に置いた状態で、前記マウスパッドに対して、前記マウスと前記連結部材を回転させ、前記マウスパッドに設けられた連結部材との嵌合部に、前記連結部材を嵌合することで、前記マウスパッドを前記マウスに固定することができ、前記マウスと前記連結部材を前記マウスパッドに対し反回転させると固定が解除され、前記マウスを操作可能な状態に戻すことができることを特徴とする前記マウスパッドを連結した請求項１記載のマウス。
【請求項６】
前記連結部材によって、連結された前記マウスと前記マウスパッドは、前記マウス操作中において、前記マウスを水平に移動する際に、左右に移動した場合には、前記マウスに装着された前期連結部材が前記マウスパッドの側壁に当たり、また前後に移動する際には、前記連結部材が前記マウスパッドの上板にあたり、前記マウスが前記マウスパッドより脱落することを防ぐ前記マウスパッドを連結した請求項５記載のマウス。
【発明の詳細な説明】
【技術分野】
【０００１】
本発明は、パーソナルコンピュータ（以下パソコン）が座標情報を入力するためのマウスと、マウスの安定した操作性を確保するためのマウスパッドに関するものである。
【背景技術】
【０００２】
パソコンのディスプレイ上のカーソル移動やオブジェクトの選択などが円滑に行えることから、入力手段としてマウスが広く用いられている。一般的に多く普及しているマウスには機械式マウスと光学式マウスがある。どちらともマウスの操作性を向上させるために、マウスパッド上で操作される。最近では、非接触型の光学式マウスが普及している。
【０００３】
パソコンのディスプレイ上のカーソル移動やオブジェクトの選択を行う入力手段として、マウスの他にも、ノート型パソコンに組み込まれたタッチパッドや、ポインティングスティックによる操作が普及しているが、マウスと比較してタッチパッドは、動作の安定性が劣り、マウスにように画面上のポインタの移動と押し釦スイッチ操作が連続して行えないこと、ポインティングスティックは、ポインタを画面上の目的の位置まで移動する際の移動の速さの調整の操作性が劣る。しかしながら、マウスは、その安定した操作性を確保するためには、マウスに適合したマウスパッドを要し、その設置スペースを要する。
【０００４】
近年、パソコンの小型・軽量化技術によりパソコンの可搬性が著しく向上し、情報通信技術の進歩によりパソコンを携帯することの必要性が増し、携帯することによる利便性も向上していることから、パソコンが様々な場所で使用されるようになった。それに伴い、マウスも様々な場所で使用されるようになり、一定の操作性を確保するためには、マウスに適合したマウスパッドを別に携帯する必要がある。
【０００５】
マウスパッドの機能として、図６のように機械式マウスの場合ではローラーボールの回転領域、光学式マウスの場合では発光した光の反射領域といったマウスの移動距離と移動速度と移動方向を検知部に伝えるマウスの移動情報伝達領域２４の確保が必要であるが、従来のマウスパッドは、マウスが安定して水平に移動するために、マウスの設置面の移動領域２３と、マウス操作中にマウスがマウスパッドから脱落してしまうのを防止するためのマウスの脱落を防止する領域２２が確保されており、マウスパッドの機能上、必要な面積より更に広く確保されている。よって広い設置場所を必要としているため、パソコンを使用する場所によっては、マウスパッドを設置できない場合がある。
【０００６】
マウスパッドを携帯しなかった場合や、マウスパッドを設置する広さが確保できなかった場合で、マウスを操作する場所が、機械式マウスの場合はローラーボールの摩擦力が得られない面上であったり、光学式の場合、発光した光を反射し難い面上、あるいはマウスの移動を伝達できない面上の場合は、マウスパッドの代用になるものを探したり、マウスに比べ著しく操作性に劣るタッチパッドやポインティングスティックまたは、キーボードを用いて入力せざるを得なかった。
【先行技術文献】
【特許文献】
【０００７】
【特許文献１】特開２００２−１４９３０６マウスパッドを確実に携行する手段として、マウスパッドをノート型パソコンに収納する方法が提案されている。
【０００８】
【特許文献２】特開２００４−２５９２４３マウスパッドの設置面積を狭くする公知技術としては、歪みセンサーや圧力センサーを利用したポインティング装置が提案されている。
【０００９】
【特許文献３】特開２００７−１７９２９５マウスに適合したマウスパッドを提供する技術として、マウスパッドをマウスパッドベースに裏表、着脱可能にして取替え可能にした技術が提案されている。
【発明の概要】
【発明が解決しようとする課題】
【００１０】
パソコンの可搬性の向上により、パソコンの使用場所の変更、移動の際に、入力装置であるマウスとマウスパッドに、次のような問題があった。
（イ）マウスとマウスパッドを別々に携行していたため、マウスに適合したマウスパッドの携行忘れが生じる。
（ロ）マウスパッド上の広さには、マウスからの移動情報の伝達領域の他に、マウスの円滑な水平移動の為のマウスの設置面の移動領域とマウスの脱落防止を防止する領域も確保されている為、広い設置面積を要し、使用する場所によって設置できない場合がある。
本発明は、これらの問題を解決するためになされたものである。
【課題を解決するための手段】
【００１１】
本発明によるマウスは、マウスパッドと連結するための連結部材を嵌合し装着できる連結部材との嵌合部を有することを特徴としている。
【００１２】
本発明による前記マウスパッドは、前記マウスを水平移動させる操作面を上面に有する上板と、前記マウスパッドの接地面を下面に有する下板と２枚の板からなり、その２枚の板の間に水平に隙間が確保されていることを特徴としている。
【００１３】
本発明による前記マウスと前記マウスパッドを連結させる前記連結部材は、前記マウスに設けられた前記連結部材との嵌合部に嵌合可能なマウスとの嵌合部と、前記マウスを水平に保つ支持部分と前記マウスパッドの上板と下板の間の隙間に挿入し、前記マウスパッドを保持するための保持部分を有することを特徴としている。
【００１４】
本発明による前記マウスパッドには、前記マウスパッドを前記連結部材に固定するための、前記連結部材との嵌合部が設けられていることを特徴とする。
【００１５】
本発明の作用を述べると、前記マウスと前記マウスパッドは、前記連結部材により連結され、連結された状態で前記マウスを前記マウスパッド上で水平方向に移動させることができ、前記マウスを操作できる。また、連結され、前記マウスを前記マウスパッド上に水平に置いた状態で、前記マウスパッドを固定し前記マウスと前記連結部材を回転させ、前記マウスパッドに設けられた連結部材との嵌合部に、前記連結部材を嵌合することで、前記マウスパッドを前記マウスに固定することができ、前記マウスパッドを反回転させると固定が解除され、前記マウスを操作可能な状態に戻すことができることを特徴とする。
【００１６】
本発明による前記連結部材によって、連結された前記マウスと前記マウスパッドは、前記マウス操作中において、前記マウスを水平に移動する際に、左右に移動した場合には、前記マウスに装着された前期連結部材が前記マウスパッドの側壁に当たり、また前後に移動する際には、前記連結部材が前記マウスパッドの上板にあたり、前記マウスが前記マウスパッドより脱落しないことを特徴とする。
【発明の効果】
【００１７】
本発明により、マウスパッドの面積を狭くしても安定したマウスの水平移動ができ、マウスがマウスパッドより脱落することもなく、マウスの移動検知機能部へのマウスの移動距離、移動速度、移動方向の伝達領域を確保することができた。
【００１８】
本発明により、マウスパッドを、マウスの底部に固定することが可能になり、パソコンを使用する場所の変更、移動時のマウスパッドの可搬性が著しく向上した。
【００１９】
本発明により、パソコンの使用場所の変更、移動時、マウスに最適のマウスパッドの携行を忘れることがなくなり、安定したマウスの操作性を確保できるようになった。
【００２０】
本発明により、狭い場所にもマウスパッドが設置できるようになり、列車、飛行機での移動中にノート型パソコンを使用する際に、従来はマウスを操作する場所を確保することが困難であったが、ノート型パソコンのタッチパッドを跨ぐようにマウスパッドを設置し、マウスを操作することができるようになり、前述のような狭い不安定な場所でも、マウスパッドからマウスが脱落しなくなった。
【図面の簡単な説明】
【００２１】
【図１】マウスを操作している実施例を示す斜視図である
【図２】マウスパッドをマウスに固定した実施例を示す斜視図
【図３】マウスの説明図a)マウスの上視図b)マウスのAA断面図c)マウスの下視図d)マウスの後視図
【図４】マウスパッドの説明図a)マウスパッドの上視図b)マウスパッドの横視図c)マウスパッドの下視図d)マウスパッドの後視図e)マウスパッドのAA断面図（2倍図）
【図５】a)連結部材の上視図b)連結部材の横視図c)連結部材の下視図d)連結部材の後視図
【図６】マウスパッド上の領域の機能の説明図
【発明を実施するための形態】
【００２２】
以下に、本発明の実施例について、図面を参照して説明する。なお、本発明はこれらの実施態様に限定されるものではない。
【実施例１】
【００２３】
図１は、本発明によるマウス本体及びマウスパッドが連結部材により連結され、マウスを操作している実施例を示す斜視図である。
【００２４】
図２は、マウスパッド２をマウス１底面に対し水平に回転させ、図１で示したマウスパッド２の側壁６に設けられた連結部材との嵌合部５に、図１で示した連結部材８の連結部材保持部分９を嵌合し、固定された実施例を示す斜視図である。
【００２５】
マウスの部品図を図３に示す。マウス操作中にマウス１がマウスパッド２の側端まで移動し、連結部材がマウスパッドに接触した状態で、パソコン画面上のポインタを移動方向に更に移動したい場合はパソコン画面上のカーソルを更に移動させたい場合は、電源遮断ボタン１１を押し、電源を一時的に遮断した状態で、マウス１をマウスパッド２の中央方向へ戻し、電源遮断ボタン１１を戻し、再度マウス１を移動させる。光学式マウスに限れば、光源を遮蔽する作用のボタンを設けてもよい。
【００２６】
マウスパッド２の部品図を図４に示す。マウス１移動時のマウスパッド２の位置のずれを防止するため滑り止め１５が設けられている。
【００２７】
連結部材８の部品図を図５に示す。連結部材８は、連結部材取り外し用つまみ１７を下方に押し下げることにより、マウスから取り外すとこができる。取り外した状態でマウス１を操作することもできる。
【産業上の利用可能性】
【００２８】
近年、コードレスタイプのマウスも普及してきているが、マウス本体への電源として電池を利用している。電磁誘導作用を用いて、本発明のマウスパッド上の限られた領域でマウスを操作できる機能を活用し、パソコンからケーブルでマウスパッドに給電し、マウスパッドの上板に送電側の一時コイルを設け、マウス側に受電用二次コイルを設けることにより、マウスに給電することが可能となる。
【符号の説明】
【００２９】
１、マウス
２、マウスパッド
３、上板
４、下板
５、連結部材との嵌合部
６、側壁
７、滑り止め
８、連結部材
９、連結部材  保持部分
１０、隙間
１１、電流遮断ボタン
１２、連結部材との嵌合部
１３、上板（マウス操作面）
１４、連結部材との嵌合部
１５、滑り止め
１６、下板（マウスパッド接地面）
１７、連結部材  取り外し用つまみ
１８、マウスとの嵌合部
１９、連結部材  保持部分
２０、支持部分
２１、連結部材  接地部分
２２、マウスの脱落を防止する領域
２３、マウスの接地面の移動領域
２４、マウスの移動情報伝達領域
【図１】
2011039756.tif 000003
【図２】
2011039756.tif 000004
【図３】
2011039756.tif 000005
【図４】
2011039756.tif 000006
【図５】
2011039756.tif 000007
【図６】
2011039756.tif 000008